(57)【要約】【課題】  液晶表示装置のγ調整において、最小限のメモリ容量で、短時間に一定範囲のγ値が調整できる携帯機器を提供する。【解決手段】  液晶表示装置１の不揮発性メモリに、予め所定の範囲でγ値が割り付けられた個々のγカーブに対して設定されたパラメータを格納し、このパラメータに対応するγ調整用のレジスタ群を有するγレジスタテーブルを携帯機器５のＣＰＵ４に設ける。ＣＰＵ４は、不揮発性メモリからパラメータを読込み、パラメータに対応するγ調整用のレジスタ群を用いて液晶表示装置１のγ値を補正する。【選択図】  図１
2011203671.tif 000002
【特許請求の範囲】
【請求項１】
パラメータを内在する不揮発性メモリが設けられた液晶表示装置と、
前記液晶表示装置を制御するとともにγレジスタテーブルが設けられたＣＰＵと、を備え、
前記パラメータは、所定の範囲でγ値が割り付けられた個々のγカーブに対して設定され、
前記γレジスタテーブルは、前記個々のγカーブに対して設定されたγ調整用のレジスタ群を有し、
前記ＣＰＵが、前記パラメータを読込むとともに、前記γレジスタテーブルから前記パラメータに対応するγカーブのレジスタ群を選択して前記液晶表示装置のγ値を補正することを特徴とする携帯機器。
【請求項２】
前記γ値は、前記液晶表示装置に黒、白、灰色を順次表示させたときのこれら３点の輝度から算出されることを特徴とする請求項１に記載の携帯機器。
【発明の詳細な説明】
【技術分野】
【０００１】
本発明は、液晶表示装置が組み込まれた携帯機器に係り、個々の液晶表示装置のγ値を簡便に調整する携帯機器に関するものである。
【背景技術】
【０００２】
近年、液晶表示装置を搭載した携帯電話やＰＤＡなどの携帯機器が広く用いられている。このような携帯機器では、液晶表示装置のγ値が、液晶、バックライト、カラーフィルタ等のバラツキに起因して個々にばらついていると、携帯機器間での表示品質が一定しない。そのため、携帯機器に組み込まれる液晶表示装置のγ値は個々に調整される必要がある。
【０００３】
従来、液晶表示装置のγ値は、個々の液晶表示装置内にて調整されてきた。例えば、駆動回路部にγ補正電圧生成回路、諧調電圧生成回路とこれら回路を制御する制御ＩＣを備え、諧調電圧生成回路の複数の抵抗素子の段間の少なくとも一部にγ補正電圧を印加して、γ補正を行う液晶表示装置が知られている（例えば、特許文献１参照）。
【０００４】
一般に、液晶表示装置単体でγ調整を行う場合、液晶表示装置はγ調整を行うためにカラーパレットなどのレジスタ群を設けたドライバＩＣを備え、この値を調整することにより、γ調整をおこなうことが知られている。例えば、サンプルとなる複数の液晶表示装置に対して画面の全階調に対応した輝度を測定してγカーブを取得し、これらγカーブの平均値を標準サンプルに設定し、この標準サンプルが目的のγカーブになるようにレジスタ群の値を求めることによりγ値を調整する方法（方法Ａ）、全ての液晶表示装置を対象に、それぞれの画面の全階調に対応した輝度を測定してγ値を算出し、目的のγカーブになるようにレジスタ群の値を求めてγ値を調整する方法（方法Ｂ）がある。
【０００５】
また、液晶表示装置を、画面の階調を間引いてγ値を測定し、間引かれた階調のγ値は補間を行って推定するガンマ値取得コンピューターに接続し、個々の液晶表示装置のガンマ値を取得する方法も知られている。（例えば、特許文献２参照）。
【０００６】
上述の従来の方法では、いずれの場合も各レジスタ群の値は液晶表示装置に搭載されるドライバＩＣの不揮発性メモリに格納される。
【先行技術文献】
【特許文献】
【０００７】
【特許文献１】特開２００３−２９５８４２号公報
【特許文献２】特開２００５−３３８４５１号公報
【発明の概要】
【発明が解決しようとする課題】
【０００８】
しかしながら、従来の方法によると、個々の液晶表示装置でレジスタ群の値を不揮発性メモリに格納するため、必要なメモリ容量が大きくなる。一方、小型かつ薄型の携帯機器に組み込まれる液晶表示装置では、搭載されるドライバＩＣのメモリ容量が小さく、レジスタ群の値を格納するのに十分なメモリ容量を確保することが難しい。さらに、個々の液晶表示装置でγ調整を行うと、アルゴリズム等が複雑になり、調整に時間がかかる。
【０００９】
また、前述の方法Ａによると、液晶、バックライト、カラーフィルタ等のバラツキが標準的なサンプルではγカーブを得られるが、標準からはずれたサンプルでは適正なγカーブが得られない。
【００１０】
そこで、本発明は、最小限のメモリ容量で、短時間に一定範囲のγ値を調整し、最適なγ値で液晶表示装置を表示させる携帯機器を提供することを目的とする。
【課題を解決するための手段】
【００１１】
本発明の携帯機器は、パラメータを格納できる不揮発性メモリが搭載された液晶表示装置とγレジスタテーブルを設けたＣＰＵを備える。
【００１２】
ＣＰＵは、液晶表示装置の不揮発性メモリからパラメータを読込み、内蔵されるγレジスタテーブルによって、このパラメータに対応するγ調整用のレジスタ群を用いて液晶表示装置を制御する。すなわち、本発明の携帯機器は、輝度測定により算出したγ値をγ調整用のレジスタ群で補正することにより、最適なγ値で液晶表示装置を表示させることができる。
【発明の効果】
【００１３】
本発明では、γ調整用のレジスタ群を携帯機器本体のＣＰＵに設け、液晶表示装置の不揮発性メモリには、対応するγ調整用のレジスタ群を呼び込むためのパラメータのみが設置されるため、最小限のメモリ容量で、短時間に一定範囲のγ値を調整できる。
【図面の簡単な説明】
【００１４】
【図１】本実施例の構成を模式的に示す構成図である。
【図２】液晶表示装置の階調値と輝度との関係図である。
【図３】本実施例に用いられるパラメータテーブルである。
【図４】本実施例に用いられるγレジスタテーブルである。
【発明を実施するための形態】
【００１５】
本発明の携帯機器は、液晶表示装置を組みこんでおり、液晶表示装置には、パラメータを内在した不揮発性メモリが搭載される。さらに、携帯機器はＣＰＵを備え、このＣＰＵには、個々のパラメータに応じたγ調整のレジスタ群が設定されたテーブルが設けられる。パラメータは、予め、所定の範囲でγ値が割り付けられた個々のγカーブに対して設定され、このγ値は、液晶表示装置に黒、白、灰色を順次表示させたときの３点の輝度から算出されている。また、レジスタ群は上述の個々のγカーブに対して設定される。そして、携帯機器のＣＰＵが、電源供給時に液晶表示装置の不揮発性メモリからパラメータを読みこみ、これに応じたγ調整用のレジスタ群を用いて液晶表示装置のγ値が最適になるように補正する。これにより個々の液晶表示装置にγ値のバラツキがあっても、携帯機器では、ある一定範囲でγ調整された表示が可能となる。
【実施例】
【００１６】
本実施例の携帯機器の構成を図１に基づいて説明する。図１は、本実施例の携帯機器の構成を説明する模式図である。図示するように、本実施例の携帯機器５は、パラメータを格納できる不揮発性メモリが搭載された液晶表示装置１と、γレジスタテーブルを設けたＣＰＵ４を備える。なお、ＣＰＵ４は液晶表示装置１を制御するだけでなく、携帯機器５全体を制御する機能を備える。
【００１７】
次に、不揮発性メモリに格納されるパラメータについて説明する。パラメータは、外部の制御装置３から出力されるが、制御装置３には、予め、所定範囲のγ値に対応してパラメータが割り付けられたγ値のパラメータテーブルが設定される。
【００１８】
パラメータテーブルのγ値は、輝度測定装置２によって測定された調整対象となる個々の液晶表示装置の輝度から算出される。このとき、液晶表示装置は、黒、白、灰色の３色を順次表示させたときの輝度が測定され、γ値の算出には、これら３点の輝度が用いられる。
【００１９】
ここで、白色表示の階調レベルでの輝度をＢｗｈｉｔｅ、黒色表示の階調レベルでの輝度をＢｂｌａｃｋ、灰色表示の階調レベルでの輝度をＢｍｉｄ、灰色表示の階調レベルをＬｍｉｄ、白色表示の階調レベルをＬｗｈｉｔｅとすると、灰色のγ値は、以下の式のように表すことができる。
【００２０】
【数１】
2011203671.tif 000003
【００２１】
制御装置３は、この式１を用いて輝度測定装置２の測定結果からγ値を算出し、算出したガンマ値に対応するパラメータ値をパラメータテーブルから求める。このパラメータ値は液晶表示装置１の不揮発性メモリに格納される。
【００２２】
また、ＣＰＵ４に設けられるγレジスタテーブルには、複数のγカーブに対して予め算出されたγ調整用のレジスタ群がパラメータテーブルのパラメータに対応させて設定される。
【００２３】
このような構成により、携帯機器に搭載されたＣＰＵ４が、液晶表示装置１の不揮発性メモリからパラメータを読込み、内蔵されるγレジスタテーブルによって、このパラメータに対応するγ調整用のレジスタ群を用いて液晶表示装置を制御する。
【００２４】
以下にγ値の調整の方法について詳細を説明する。なお、本実施例では、階調レベルを０〜２５５としているが、例えば、階調レベルが０〜６３の場合でも同じ方法で実施することができる。また、ここでは、目的とする液晶表示装置の最適なγカーブのγ値を２．２として説明する。
【００２５】
まず、補正対象の液晶表示装置１に階調レベル０（黒）を表示させる。そして輝度測定装置２でこの階調レベルの輝度を測定し、制御装置３に送信する。輝度測定装置２は、カメラユニットでもよいし、輝度計を用いてもよい。同様に、液晶表示装置１に階調レベル１２７（灰色）、階調レベル２５５（白）を表示させ、輝度測定装置２で各々の輝度を測定する。表示させる順番は問わない。液晶表示装置１に階調レベル０（黒）、階調レベル１２７（灰色）、階調レベル２５５（白）の３つの階調レベルが表示され、各輝度値が測定されればよい。
【００２６】
制御装置３は、輝度測定結果により階調レベル１２７のγ値を計算する。階調０（黒）の輝度をＢ０、階調１２７（灰）の輝度をＢ１２７、階調２５５（白）の輝度をＢ２５５として、前述の式１にあてはめると、階調レベル１２７のγ値は、以下の式から算出することができる。
【００２７】
【数２】
2011203671.tif 000004
【００２８】
制御装置３に用意されるパラメータテーブルを図３に示す。式２により求められたγ値から、制御装置３は、パラメータの値を液晶表示装置１の不揮発性メモリに書き込む。例えば、算出したγ値が１．７であると、制御装置３はパラメータテーブルに基づいて、これに対応するパラメータ値１を設定する。本実施例では、図３に示すように、算出したγ値を、γ値が１．６〜２．８のγカーブに近似させてパラメータを設定している。すなわち、γ値の範囲を決め、その範囲に対しパラメータの値が割り付けられている。このように割り付けることにより、γ値に対応するγカーブの近似値を求めることができる。ここではγ値の範囲を幅０．２で設定しているが、この幅は液晶装置が必要とする精度に応じて決めることができる。また、液晶表示装置のバラツキが大きい場合には、さらに広い範囲をとってもよい。このように、個々の液晶表示装置にはγカーブに応じたパラメータがメモリに格納されることとなる。
【００２９】
次に、ＣＰＵ４で液晶表示装置１に書き込まれたパラメータを読み込み、ＣＰＵ４で適正なγ値になるように調整をおこなう。まず、予めＣＰＵ４に上述のパラメータに対応させたレジスタ群を用意しておく。図４はＣＰＵ４に組み込まれたγレジスタテーブルである。図３のパラメータと図４のパラメータはそれぞれ対応している。図４に示すように、パラメータ値に対するレジスタ群の値は、γ＝２．２を中心として図３のγ値と対称に設定されている。
【００３０】
例えば、測定輝度から算出されたγ値が１．７の場合はレジスタ群のテーブルにはγカーブが２．８になるような値が設定される。同様にγ値が２．０の場合はレジスタ群のテーブルにはγカーブが２．４になるような値が設定される。このように設定することで、ＣＰＵ４は、γカーブが２．１〜２．３の範囲になるように液晶表示装置１を表示させることができる。
【００３１】
このように、ＣＰＵ４は、各γ値に対応するレジスタ群のテーブルを備え、電源ＯＮ時に液晶表示装置１の不揮発性メモリから上述のパラメータ値を読み込む。そして、このパラメータ値に対応するレジスタ群の値が、γ調整用のレジスタテーブルから求められ、イニシャルシーケンスとして設定される。これにより液晶表示装置の個々のバラツキに関係なく、携帯機器ではある一定範囲でのγ調整された表示が可能となる。
【００３２】
また、本実施例の調整方法に関し、予め、複数の液晶表示装置について画面の全階調に対応した輝度を測定して実製品に即したγカーブをとることもできる。そして、この平均値を標準サンプルとし、この標準サンプルを用いて目的のγカーブに調整するようにレジスタ群の値を求める。次に同じ標準サンプルで、この目的のγカーブから所定量はずれた値のγカーブになるように調整したレジスタ群を求める。さらに目的のγカーブから所定量の任意倍はずれたγカーブになるように調整したレジスタ群をもとめる。このように、液晶表示装置すべてのバラツキを包含した範囲で任意倍はずれたγカーブのレジスタ群を求め、これらのレジスタ群が個々のパラメータとして割り付けられる。このようにして、図２に示すように、γカーブが１．６、１．８、２．０、２．２、２．４、２．６、２．８になるようにレジスタ群の値が求められている。このγカーブの値に対し、図３のようにγ値の範囲を決め、その範囲に対しパラメータの値を割り付ける。このように割り付けることにより、γ値に対応するγカーブの近似値を求めることができる。ここで、図２は液晶表示装置の階調値と輝度との関係を表しており、横軸に階調レベルを、縦軸に輝度をとっている。
【産業上の利用可能性】
【００３３】
液晶表示装置のγ調整方法において、最小限のメモリ容量で、短時間に一定範囲のγ値が調整できるため、液晶表示装置を搭載した携帯機器に適応できる。
【符号の説明】
【００３４】
１  液晶表示装置
２  輝度測定装置
３  制御装置
４  ＣＰＵ
５  携帯機器
【図１】
2011203671.tif 000005
【図３】
2011203671.tif 000006
【図４】
2011203671.tif 000007
【図２】
2011203671.tif 000008